(57)【特許請求の範囲】
【請求項１】
表面が、正面視で略正円形状とされるとともに、側面視で楕円形状の略半部状に形成される曲面よりなる略半球状に形成され、裏面が平坦に形成される摘み部と、
前記摘み部の平坦な裏面中央に一端が設けられ、該摘み部と略一体に成形され、他端が錠箱機構部内に連結されて、該錠箱機構部に回動操作力を入力するサムターン軸と、
後端部が錠箱に固定され、扉面に穿設した挿入穴を貫通し、前記扉面に対して先端側の半部が直交して突出し、前記サムターン軸が貫通されて該サムターン軸の中途部を回動自在に支持し、扉の屋内面側に固設される筒状支持部と、
前記摘み部の外径と略同等の外径とされる球面部を備え一端に向けて小径となるテーパ面が形成されるとともに、他端が平坦な面に形成され、中央に前記サムターン軸が貫通する穴部を備え、前記筒状支持部における扉の屋内側先端と前記摘み部の裏面との間に、前記他端の平坦面と前記摘み部の平坦な裏面とを対向させるとともに、前記一端側を前記筒状支持部に対向させて前記サムターン軸の一端側の周囲を覆い、前記摘み部の外形状とともに側面視で連続した略一体状の略球形状とされて、前記摘み部と前記筒状支持部との間で前記サムターン軸に対し回動自在に配設されるカラー部と、
を具備することを特徴とするサムターン。
【請求項２】
前記筒状支持部には、前記扉の屋内面より突出する外周部分に、先端側を切除した略円錐状の化粧リングが先端部を前記筒状支持部の先端側となるように配設されることを特徴とする請求項１記載のサムターン。
【発明の詳細な説明】
【０００１】
【発明の属する技術分野】
本発明は、扉などの開閉体に内蔵された錠箱機構部に対し回転による操作力を入力し、錠箱内に設けたロック部材を開閉体枠に対して進退動作させるサムターンに関するものである。
【０００２】
【従来の技術】
従来、サムターン付きの施錠装置は、扉などの開閉体に錠箱が内蔵され、錠箱には、開閉体の屋外側に露出するシリンダー錠と、開閉体の屋内側に露出する回転式のサムターンとが設けられている。
【０００３】
錠箱には、ロック部材である例えばデッドボルトが開閉体の端面（木口）から進退自在に設けられている。
この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。
また、屋内側からは、サムターンの翼板状に形成される摘みが回転操作されるのみで、デッドボルトが進退され、開閉体の施解錠が簡便に行えるようになっている。
【０００４】
【発明が解決しようとする課題】
近年、マンションや住宅の玄関扉等の開閉体、あるいはこれら玄関扉等の開閉体近傍における開口枠体の周囲である壁部分に、高級感や優美性を高める目的で、ガラス板を嵌め込んだ小窓付のものが多用されるようになってきている。
ところが、このような開閉体の小窓や壁部分の小窓では、ガラス板が割られると、外部から、先端を鉤状に曲げた針金等を挿入して、サムターンが不正に操作されてしまう虞れがある。
【０００５】
一般的に、扉に多用される回転式のサムターンは、屋内側に露出する摘み部の翼板部に針金の鉤状先端を掛止し、回転モーメントを与えることにより不正な解錠操作が可能となる場合がある。
【０００６】
また、サムターンは、小窓の無い開閉体においても、針金を挿入する隙間や孔などが開閉体自体あるいは壁部分にあれば、同様に不正解錠される虞れがあった。
【０００７】
本発明は上記状況に鑑みてなされたもので、屋外側からの挿入等の不正な解錠を防止することのできるサムターンを提供し、もって、施錠装置の不正解錠防止機能の向上を図ることを目的とする。
【０００８】
【課題を解決するための手段】
次に、上記の課題を解決するための手段を、実施の形態に対応する図面を参照して説明する。
この発明のサムターン１は、表面３ａが、正面視で略正円形状とされるとともに、側面視で楕円形状の略半部状に形成される曲面よりなる略半球状に形成され、裏面３ｂが平坦に形成される摘み部３と、
前記摘み部３の平坦な裏面３ｂ中央に一端５ａが設けられ、該摘み部３と略一体に成形され、他端５ｂが錠箱機構部内に連結されて、該錠箱機構部に回動操作力を入力するサムターン軸５と、
後端部７ａが錠箱に固定され、扉面２０ａに穿設した挿入穴２１を貫通し、前記扉面２０ａに対して先端７ｂ側の半部が直交して突出し、前記サムターン軸５が貫通されて該サムターン軸５の中途部を回動自在に支持し、扉２０の屋内面２０ａ側に固設される筒状支持部７と、
前記摘み部３の外径と略同等の外径とされる球面部を備え一端（先端）１５ａに向けて小径となるテーパ面が形成されるとともに、他端が平坦な面に形成され、中央に前記サムターン軸５が貫通する穴部１６を備え、前記筒状支持部７における扉２０の屋内側先端７ｂと前記摘み部３の裏面３ｂとの間に、前記他端の平坦面と前記摘み部３の平坦な裏面３ｂとを対向させるとともに、前記一端１５ａ側を前記筒状支持部７に対向させて前記サムターン軸５の一端５ａ側の周囲を覆い、前記摘み部３の外形状とともに側面視で連続した略一体状の略球形状とされて、前記摘み部と前記筒状支持部との間で前記サムターン軸５に対し回動自在に配設されるカラー部１５と、
を具備することを特徴とする。
【０００９】
また、前記筒状支持部７には、前記扉２０の屋内面２０ａより突出する外周部分に、先端側を切除した略円錐状の化粧リング１１が先端部を前記筒状支持部７の先端側となるように配設されることを特徴とする。
【００１０】
このように構成されたサムターン１によれば、扉２０等に設けられた小窓を割り、或いは扉２０と扉枠の隙間から針金を差し入れることにより外部よりサムターン１を不正に操作しようとしても、サムターン１の形状が側面視で連続した略一体状の略球状であることから、その球面（表面３ａ）により針金の先端が摘み部３の先端側や周囲側に滑り、係止することが不可能となる。また、針金先端がサムターン軸５側に移動してもカラー部１５の球面部，テーパ面により係止することが不可能であり、かつカラー部１５が摘み部３と筒状支持部７との間でサムターン軸５に対して空転することから、針金の係止を不能とし、不正解錠を防止することができる。
そして、このサムターン１によれば、扉２０の屋内側からの施錠操作、及び解錠操作の際には、摘み部３とともにカラー部１５を掴み持ち、回転操作することでサムターン軸５を介し、錠箱機構部内を操作させてデッドボルトの進退操作を行い、建物躯体側の開閉体枠である開口枠体に設けたストライクに対して施解錠が行われる。この回転操作の際は、摘み部３とともにカラー部１５も回転することから、その操作に支障はない。
【００１１】
【発明の実施の形態】
図１は本発明によるサムターンの実施の形態を示す側断面図、図２は同サムターンの分解斜視図である。
【００１２】
扉２０には図示しない錠箱が設けられ、この錠箱にはラッチボルト、デッドボルト、及びこれらを扉の木口から進退させる錠箱機構部を内接している。扉２０は屋内側の面２０ａにサムターン１を備えている。上記した錠箱のデッドボルトは、扉２０の屋外側の面に設けたシリンダー錠をキーによって、又はこのサムターン１を回動することによって扉木口から進退可能となる。
【００１３】
本実施の形態のサムターン１は、摘み部３と、サムターン軸５と、筒状支持部７と、カラー部１５とで略構成される。
【００１４】
摘み部３は、表面３ａが略半球状に形成され、裏面３ｂが平坦に形成される。この摘み部３の表面３ａの形状を詳述すると、正面視で略正円形状とされるとともに、図１に示すように側面視で楕円形状の短軸側を略１／２、好ましくは１／２よりやや長尺とした略半部に形成される曲面よりなる。
【００１５】
サムターン軸５は、摘み部３の裏面３ｂ中央に一端５ａが設けられ、この摘み部３と略一体に成形され、略キノコ状に形成されている。また、サムターン軸５の他端５ｂは、例えば断面十字形状となって、図示しない錠箱機構部内の入力軸に相対回転不能に嵌入され連結される。
なお、このサムターン軸５の一端５ａは、軸本体よりやや大径な取付軸部６が形成される。
【００１６】
筒状支持部７は、略円筒形に形成され、後端部７ａに、軸線に直交方向の一対の凸部８を外周の上下に有し、これら凸部８に固定穴９が形成されている。筒状支持部７は、扉面２０ａに穿設した挿入穴２１に後端部７ａを挿入し、扉２０内に設けた図示しない錠箱にこの固定穴９を介して固定する。これにより、筒状支持部７は、錠箱に回動不能に固定され、この錠箱を介して扉２０の屋内面２０ａ側に固設されることになる。
【００１７】
扉面２０ａから突出する筒状支持部７の先端７ｂ側の略半部は、屋内面２０ａより突出し、その外周には、先端側を切除した略円錐状の化粧リング１１を、先端部が筒状支持部７の先端７ｂ側となるように取り付けている。
また、筒状支持部７の屋内側の先端７ｂには、飾り筒１３が設けられ、筒状支持部７先端面を覆うようになっている。
【００１８】
そしてこの筒状支持部７には、サムターン軸５が貫通するとともに、図示しないＥリングなどの移動規制部材が取り付けられ、サムターン軸５の筒状支持部７に対して抜脱を規制し、回動自在に支持している。なお、サムターン軸５は、筒状支持部７に取り付けられた状態で、一端の取付軸部６が筒状支持部７の先端７ｂより屋内側に突出した状態となり、すなわちこの取付軸部６が摘み部裏面３ｂと筒状支持部先端７ｂとの間に位置する。
【００１９】
カラー部１５は、摘み部３の外径と略同等の外径に形成され、すなわち正面視で略円形状とされ、また、側面視で略楕円形の略半部とされる曲面形状の球面部を備えるとともに、一端となる先端１５ａに向けて小径となるテーパ面が形成された略円錐形状に形成される。また、中央に穴部１６が貫通成形されている。この穴部１６は、サムターン軸５の取付軸部６に対応した内径とされている。
なお、カラー部１５の他端１５ｂ側は、平坦な面に形成される。
【００２０】
そして、このカラー部１５は、中央の穴部１６にサムターン軸５が貫通して、サムターン軸５の取付軸部６に配置される。カラー部１５は、他端１５ｂ側の平坦面と摘み部３の平坦な裏面３ｂとが対向し、先端１５ａ側のテーパ面が筒状支持部７に対向して、取付軸部６の周囲を覆うように取り付けられて、サムターン軸５に対して回動自在に配設される。サムターン軸５に配設されたカラー部１５は、摘み部３の外形状とともに、側面視で連続した略一体状の略球形状となる。
【００２１】
このような構成によるサムターン１によれば、扉２０の屋内側からの施錠操作、及び解錠操作の際には、摘み部３とともにカラー部１５を掴み持ち、回転操作することでサムターン軸５を介し、錠箱機構部内を操作させてデッドボルトの進退操作を行い、建物躯体側の開閉体枠である開口枠体に設けたストライクに対して施解錠が行われる。この回転操作の際は、摘み部３とともにカラー部１５も回転することから、その操作に支障はない。
【００２２】
そして、扉２０等に設けられた小窓を割り、或いは扉２０と扉枠の隙間から先端鉤状の針金を差し入れることにより施錠状態となっているサムターン１を不正に回転操作しようとしても、サムターン１の摘み部３の形状が、従来のような翼板形状ではなく、略球状に形成されていることから、その球面（表面３ａ）により針金の先端が摘み部３の先端側や周囲側に滑り、係止することが不可能となる。また、針金先端がサムターン軸５側に移動してもカラー部１５の球面部，テーパ面により係止することが不可能であり、かつカラー部１５がサムターン軸５に対して空転することから、針金の係止を不能とし、不正解錠を防止することができる。
【００２３】
なお、上述した実施の形態では、摘み部３の構成として、略半球状に形成し、これを掴み持ち回転操作する構成とされるが、施錠状態と解錠状態とを容易に視認できるように、屋内側となるサムターン表面３ａの一部に印刷や刻印などを施し、回転位置状態が判別できるように構成してもよい。
【００２４】
【発明の効果】
以上説明したように本発明によるサムターンでは、摘み部の表面形状を略半球状に形成し、摘み部と筒状支持部との間に、回動自在なカラー部を配設したので、扉等に設けられた小窓を割り、或いは扉と扉枠の隙間から針金を差し入れることによりサムターンを不正に操作しようとしても、サムターンの形状が側面視で連続した略一体状の略球状であることから、その球面により針金の先端が摘み部の先端側や周囲側に滑り、係止することが不可能となる。
また、針金先端がサムターン軸側に移動してもカラー部の球面部，テーパ面により係止することが不可能であり、かつカラー部が摘み部と筒状支持部との間でサムターン軸に対して空転することから、針金の係止を不能とし、不正解錠を防止することができる。
すなわち、解錠のための操作力を錠箱機構部に対し入力して解錠操作を行うことができない。これにより、針金を摘み部に引っ掛けることによって、サムターンを回動させる不正解錠を確実に防止することができ、施錠装置の不正解錠防止機能を向上させることができる。
そして、このサムターンによれば、扉の施錠操作、及び解錠操作の際には、摘み部とともにカラー部を掴み持ち、回転操作することでサムターン軸を介し、錠箱機構部内を操作させて施解錠が行われる。この回転操作の際は、摘み部とともにカラー部も回転することから、その操作に支障はない。
【図面の簡単な説明】
【図１】本発明によるサムターンの実施の形態を示す側断面図である。
【図２】同サムターンの分解斜視図である。
【符号の説明】
１…サムターン
３…摘み部
３ａ…表面
３ｂ…裏面
５…サムターン軸
５ａ…一端
７…筒状支持部
７ｂ…先端
１１…化粧リング
１５…カラー部
１５ａ…先端
１６…穴部
２０…扉
２０ａ…屋内面
【図１】
0004112206.tif 000002
【図２】
0004112206.tif 000003